(57)【要約】【課題】不正アクセス等の被害を防止する時刻補正システムおよび時刻補正方法を提供する。【解決手段】時間管理装置２には、時刻情報を含む時刻信号を送信する時刻情報送信部２３１を設け、第１の時刻提供装置３には、計時部３１２と、時刻信号から時刻情報を抽出する抽出部３１５１と、時刻情報に応じて計時部３１２の時刻情報を補正する補正部３１５２と、時刻情報を含む時刻信号を出力するネットワークカード３１４を設け、第２の時刻提供装置４には、ネットワークカード４１１と、時刻信号から時刻情報を抽出する抽出部４１５１と、補正部４１５２と、時刻情報を送信する無線ルータ４１３とを設ける。情報処理装置５−１〜ｎにおいて、第２の時刻情報提供装置４から出力された時刻情報が無線ルータ４１３で受信され、その時刻情報に基づいて計時部５０１の時刻情報が補正される。【選択図】　図１
2004125489.tif 000002
【特許請求の範囲】
【請求項１】
時刻情報を管理する時刻管理装置と、内部の時刻を補正する情報処理装置に前記時刻情報を提供する時刻提供装置とを有する時刻補正システムであって、
前記時刻管理装置は、前記時刻情報を含む時刻信号を送信する時刻情報送信手段を有し、
前記時刻提供装置は、時刻を計時する計時手段と、
前記時刻情報送信手段から出力された前記時刻信号に基づいて当該時刻信号の内から前記時刻情報のみを抽出する抽出手段と、
前記抽出手段により抽出された前記時刻情報に基づいて、前記計時手段の時刻情報を補正する補正手段と、
前記時刻情報を前記情報処理装置に提供する提供手段とを有する
時刻補正システム。
【請求項２】
前記抽出手段は、予め設定された、不要情報を除去するための不要情報除去情報に基づいて、前記時刻情報送信手段から送信された前記時刻信号の内から前記不要情報を取除いて、前記時刻情報のみを抽出する
請求項１に記載の時刻補正システム。
【請求項３】
前記時刻情報送信手段は、前記時刻情報を含む時刻信号を通信ネットワークを介して送信する
請求項１または２に記載の時刻補正システム。
【請求項４】
前記時刻管理装置は、標準時刻提供装置から提供される標準時刻信号を受信し、当該標準時刻信号に基づいて前記管理している時刻情報を補正する時刻補正手段を有する
請求項１〜３のいずれかに記載の時刻補正システム。
【請求項５】
時刻情報を管理する時刻管理装置と、第１の時刻提供装置と、内部の時刻を補正する情報処理装置に前記時刻情報を提供する第２の時刻提供装置とを有する時刻補正システムであって、
前記時刻管理装置は、前記時刻情報を含む時刻信号を送信する時刻情報送信手段を有し、
前記第１の時刻提供装置は、時刻を計時する計時手段と、
前記時刻情報送信手段から出力された前記時刻信号に基づいて当該時刻信号の内から前記時刻情報のみを抽出する抽出手段と、
前記抽出手段により抽出された前記時刻情報に基づいて、前記計時手段の時刻情報を補正する補正手段と、
前記時刻情報を第２の時刻提供装置に出力する送信手段とを有し、
前記第２の時刻提供装置は、前記第１の時刻提供装置から出力された前記時刻情報を受信して、前記情報処理装置に当該時刻情報を提供する時刻情報提供手段を有する
時刻補正システム。
【請求項６】
前記抽出手段は、予め設定された、不要情報を除去するための不要情報除去情報に基づいて、前記時刻情報送信手段から送信された前記時刻信号の内から前記不要情報を取除いて、前記時刻情報のみを抽出する
請求項５に記載の時刻補正システム。
【請求項７】
前記時刻情報送信手段は、前記時刻情報を含む時刻信号を通信ネットワークを介して送信する
請求項５または６に記載の時刻補正システム。
【請求項８】
前記時刻管理装置は、無線方式により標準時刻提供装置から提供される標準時刻信号を受信し、当該標準時刻信号に基づいて前記管理している時刻情報を補正する時刻補正手段を有する
請求項５〜７のいずれかに記載の時刻補正システム。
【請求項９】
前記送信手段は、前記時刻情報を専用回線により前記第２の時刻提供装置に送信する
請求項５〜８のいずれかに記載の時刻補正システム。
【請求項１０】
前記第２の時刻提供装置は、
時刻を計時する第２の計時手段と、
前記送信手段から出力された前記時刻信号に基づいて当該時刻信号の内から前記時刻情報のみを抽出する第２の抽出手段と、
前記第２の抽出手段により抽出された前記時刻情報に基づいて、前記第２の計時手段の時刻情報を補正する第２の補正手段とを有し、
前記時刻情報提供手段は、前記第２の計時手段の時刻情報を前記情報処理装置に提供する
請求項５〜９のいずれかに記載の時刻補正システム。
【請求項１１】
時刻情報を管理する時刻管理装置と、内部の時刻を補正する情報処理装置に前記時刻情報を提供する時刻提供装置とを有する時刻補正システムの時刻補正方法であって、
前記時刻管理装置は、前記時刻情報を含む時刻信号を送信し、
前記時刻提供装置は、前記送信された前記時刻信号に基づいて当該時刻信号から前記時刻情報のみを抽出し、
前記抽出された前記時刻情報に基づいて、計時している時刻情報を補正し、
前記時刻情報を前記情報処理装置に提供する
時刻補正方法。
【請求項１２】
時刻情報を管理する時刻管理装置と、第１の時刻提供装置と、内部の時刻を補正する情報処理装置に前記時刻情報を提供する第２の時刻提供装置とを有する時刻補正システムの時刻補正方法であって、
前記時刻管理装置は、前記時刻情報を含む時刻信号を送信し、
前記第１の時刻提供装置は、前記送信された時刻信号に基づいて当該時刻信号から前記時刻情報のみを抽出し、
前記抽出された前記時刻情報に基づいて、計時している時刻情報を補正し、
前記時刻情報を第２の時刻提供装置に出力し、
前記第２の時刻提供装置は、前記第１の時刻提供装置から出力された前記時刻情報を受信して、前記情報処理装置に当該時刻情報を提供する
時刻補正方法。
【発明の詳細な説明】
【０００１】
【発明の属する技術分野】
本発明は、例えば、時刻補正システム、および時刻補正方法に関するものである。
【０００２】
【従来の技術】
通信ネットワークの急速な普及により、多くのパーソナルコンピュータ等のコンピュータ機器が通信回線に接続している。
従来、通信回線に接続されたコンピュータ機器に、標準時刻の供給を行う標準時刻供給システムが知られている（例えば、特許文献１参照。）。
【０００３】
【特許文献１】
特開２００１−２８１３６８号公報（第１−４頁、第１図）
【０００４】
【発明が解決しようとする課題】
ところで、近年では、通信回線を介して、コンピュータ機器への不正なアクセスや、コンピュータウィルスによる重要な情報の消去等の被害が多発している。
上述した標準時刻を供給するシステムにおいて、上述のような不正アクセス等の被害を防止するシステムが望まれている。
【０００５】
本発明は、かかる事情に鑑みてなされたものであり、その目的は、不正アクセス等の被害を防止する時刻補正システム、および時刻補正方法を提供することにある。
【０００６】
【課題を解決するための手段】
前記目的を達成するために、本発明の第１の観点に係る時刻補正システムは、時刻情報を管理する時刻管理装置と、内部の時刻を補正する情報処理装置に前記時刻情報を提供する時刻提供装置とを有する時刻補正システムであって、前記時刻管理装置は、前記時刻情報を含む時刻信号を送信する時刻情報送信手段を有し、前記時刻提供装置は、時刻を計時する計時手段と、前記時刻情報送信手段から出力された前記時刻信号に基づいて当該時刻信号の内から前記時刻情報のみを抽出する抽出手段と、前記抽出手段により抽出された前記時刻情報に基づいて、前記計時手段の時刻情報を補正する補正手段と、前記時刻情報を前記情報処理装置に提供する提供手段とを有する。
【０００７】
本発明によれば、時刻管理装置において、時刻情報送信手段では時刻情報を含む時刻信号が送信される。
時刻提供装置において、計時手段では時刻が計時される。抽出手段では時刻情報送信手段から出力された時刻信号に基づいて当該時刻信号の内から時刻情報のみが抽出される。
補正手段では抽出手段により抽出された時刻情報に基づいて、計時手段の時刻情報が補正される。
提供手段では時刻情報を情報処理装置に提供する。
【０００８】
さらに、前記目的を達成するために、本発明の第２の観点に係る時刻補正システムは、時刻情報を管理する時刻管理装置と、第１の時刻提供装置と、内部の時刻を補正する情報処理装置に前記時刻情報を提供する第２の時刻提供装置とを有する時刻補正システムであって、前記時刻管理装置は、前記時刻情報を含む時刻信号を送信する時刻情報送信手段を有し、前記第１の時刻提供装置は、時刻を計時する計時手段と、前記時刻情報送信手段から出力された前記時刻信号に基づいて当該時刻信号の内から前記時刻情報のみを抽出する抽出手段と、前記抽出手段により抽出された前記時刻情報に基づいて、前記計時手段の時刻情報を補正する補正手段と、前記時刻情報を第２の時刻提供装置に出力する送信手段とを有し、前記第２の時刻提供装置は、前記第１の時刻提供装置から出力された前記時刻情報を受信して、前記情報処理装置に当該時刻情報を提供する時刻情報提供手段を有する。
【０００９】
さらに、前記目的を達成するために、本発明の第３の観点に係る時刻補正方法は、時刻情報を管理する時刻管理装置と、内部の時刻を補正する情報処理装置に前記時刻情報を提供する時刻提供装置とを有する時刻補正システムの時刻補正方法であって、前記時刻管理装置は、前記時刻情報を含む時刻信号を送信し、前記時刻提供装置は、前記送信された前記時刻信号に基づいて当該時刻信号から前記時刻情報のみを抽出し、前記抽出された前記時刻情報に基づいて、計時している時刻情報を補正し、前記時刻情報を前記情報処理装置に提供する。
【００１０】
さらに、前記目的を達成するために、本発明の第４の観点に係る時刻補正方法は、時刻情報を管理する時刻管理装置と、第１の時刻提供装置と、内部の時刻を補正する情報処理装置に前記時刻情報を提供する第２の時刻提供装置とを有する時刻補正システムの時刻補正方法であって、前記時刻管理装置は、前記時刻情報を含む時刻信号を送信し、前記第１の時刻提供装置は、前記送信された時刻信号に基づいて当該時刻信号から前記時刻情報のみを抽出し、前記抽出された前記時刻情報に基づいて、計時している時刻情報を補正し、前記時刻情報を第２の時刻提供装置に出力し、前記第２の時刻提供装置は、前記第１の時刻提供装置から出力された前記時刻情報を受信して、前記情報処理装置に当該時刻情報を提供する。
【００１１】
【発明の実施の形態】
図１は、本発明の時刻補正システムに係る一実施の形態の全体図である。
本実施の形態に係る時刻補正システム１は、図１に示すように、時刻管理装置２、第１の時刻提供装置３、および第２の時刻提供装置４とを有する。
【００１２】
例えば、時刻管理装置２は時刻管理センタＴＳ内に設置されている。データセンタＤＳ内には、第２の時刻提供装置４が設置されており、例えば複数の情報処理装置５−１〜ｎに時刻情報を提供する。
データセンタＤＳに隣接する施設ＳＳ内には、第１の時刻提供装置３が設置されている。
第１の時刻提供装置３と第２の時刻提供装置４は例えば専用線、詳細にはセキュリティ性の高い有線方式により接続されている。
【００１３】
時刻管理装置２は、例えば図１に示すように、ＧＰＳ（Ｇｌｏｂａｌ　ｐｏｓｉｔｉｏｎｉｎｇ　ｓｙｓｔｅｍｓ）受信回路２１、親時計２２、および１次ＮＴＰ（Ｎｅｔｗｏｒｋ　ｔｉｍｅ　ｐｒｏｔｏｃｏｌ　）サーバ２３を有する。
【００１４】
ＧＰＳ受信回路２１は、例えば、ＧＰＳ衛星２０１から送信される時刻信号をアンテナＡＮＴを介して受信して復調処理し、その時刻信号に含まれる時刻情報を親時計２２に出力する。ＧＰＳ衛星２０１は本発明に係る標準時刻提供装置に相当する。
【００１５】
親時計２２は、基準となる時刻を計時し、時刻の管理を行う。
親時計２２は、ＧＰＳ受信回路２１から出力された時刻情報に基づいて補正処理を行う。
例えば、親時計２２は、ルビジウム原子による信号に基づいて時刻を計時する。
【００１６】
１次ＮＴＰサーバ２３は、通信ネットワーク６１を介して親時計２２で計時される時刻情報を要求元に供給する。
１次ＮＴＰサーバ２３は、親時計２２で計時される時刻情報を、通信ネットワーク６１を介して、第１の時刻提供装置３に出力する。
１次ＮＴＰサーバ２３は、所定の方式、例えばネットワークタイムプロトコル（ＮＴＰ）を用いて時刻情報を要求元に供給する。
【００１７】
第１の時刻提供装置３は、時刻管理装置２から出力された時刻情報を受信し、第２の時刻提供装置４に送信する。
第１の時刻提供装置３は、例えば図１に示すように、２次ＮＴＰサーバ３１、基準時計３２、およびルータ３３を有する。
【００１８】
２次ＮＴＰサーバ３１は、１次ＮＴＰサーバ２３から通信ネットワークを６１介して出力された時刻情報を受信して、内部の計時時刻を修正する。
２次ＮＴＰサーバ３１は、時刻情報をルータ３３を介して、データセンタＤＳ内に、時刻情報を含む時刻信号を出力する。
【００１９】
基準時計３２は、基準となる時刻を計時する。
例えば通信ネットワーク６１の不良等が発生した場合に２次ＮＴＰサーバ３１は、基準時計３２の時刻情報を参照する。
【００２０】
第２の時刻提供装置４は、時刻補正用サーバ４１、およびルータ４２を有する。
時刻補正用サーバ４１は、ルータ４２を介して２次ＮＴＰサーバ３１から出力された時刻情報を含む時刻信号を受信し、内部の計時している時刻情報を補正する。
時刻補正用サーバ４１は、ルータ４２を介して例えば情報処理装置５−１〜ｎからの要求に応じて、要求元に時刻情報を供給する。
例えば、時刻補正用サーバ４１と情報処理装置５−１〜ｎそれぞれは、無線ＬＡＮで接続されている。
【００２１】
図２は、図１に示した時刻修正システムの一具体例を示す機能ブロック図である。
時刻管理装置２は、時刻情報を含む時刻信号を送信する時刻情報送信部２３１を有する。
例えば、１次ＮＴＰサーバ２３は、親時計２２で計時される時刻情報を含む時刻信号を送信する時刻情報送信部２３１を有する。
【００２２】
時刻管理装置２は、標準時刻提供装置としてのＧＰＳ衛星２０１から提供される標準時刻信号を受信し、当該標準時刻信号に基づいて管理している時刻情報を補正する時刻補正部を有する。
例えば、親時計２２は、ＧＰＳ受信回路２１で受信された標準時刻信号に基づいて管理している時刻情報を補正する時刻補正部２２１を有する。
【００２３】
第１の時刻提供装置３の２次ＮＴＰサーバ３１は、例えば図２に示すように、通信インターフェイス（Ｉｎｔｅｒｆａｃｅ　：Ｉ／Ｆ）３１１、計時部３１２、メモリ３１３、ネットワークカード３１４、およびＣＰＵ３１５とを有する。
通信インターフェイス３１１、計時部３１２、メモリ３１３、ネットワークカード３１４、およびＣＰＵ３１５はバスＢＳにより接続されている。
【００２４】
通信Ｉ／Ｆ（Ｉｎｔｅｒｆａｃｅ　）３１１は、１次ＮＴＰサーバ２３と通信ネットワーク６１を介して通信を行う。
通信インターフェイス３１１は、例えば、１次ＮＴＰサーバ２３から出力された時刻信号を受信し、ＣＰＵ３１５に出力する。
【００２５】
計時部３１２は、時刻の計時を行う。計時部３１２は、ＣＰＵ３１５の管理のもと、時刻情報をネットワークカード３１４およびルータ３３を介して、時刻補正用サーバ４１に出力する。
【００２６】
メモリ３１３は、ＣＰＵ３１５により管理され、所定のパラメータや、プログラム等を記憶する。また、メモリ３１３はＣＰＵ３１５の処理のワークスペースとしても用いられる。
メモリ３１５は、ＲＡＭ（Ｒａｎｄｏｍ　ａｃｃｅｓｓ　ｍｅｍｏｒｙ）やＲＯＭ（Ｒｅａｄ　ｏｎｌｙ　ｍｅｍｏｒｙ）やＨＤＤ（Ｈｅｒｄ　ｄｉｓｋ　ｄｒｉｖｅ　）等の記憶装置である。
【００２７】
ネットワークカード３１４は、ＣＰＵ３１５から出力された時刻情報に基づいて変調処理を行い所定の形式の信号に変換し、ルータ３３および通信回線６３を介して第２の時刻提供装置４に出力する。
ネットワークカード３１４は、第２の時刻提供装置４から出力された時刻信号を復調処理してＣＰＵ３１５に出力する。
【００２８】
ＣＰＵ３１５は、メモリ３１３に記憶されたデータに基づいて時刻修正に係る処理を行う。
ＣＰＵ３１５は、例えば、抽出部３１５１、および補正部３１５２を有する。
【００２９】
ＣＰＵ３１５の抽出部３１５１は、通信インターフェイス３１１から出力された時刻信号に基づいて、その時刻信号の内から時刻情報のみを抽出する。
【００３０】
例えば、時刻管理装置２から時刻情報を含む時刻信号が通信ネットワーク６１を介して通信インターフェイス３１１に出力される。
ＣＰＵ３１５の抽出部３１５１は、通信インターフェイス３１１で受信された時刻信号から、不要情報を取除いて、時刻情報のみを抽出する。
【００３１】
不要情報は、例えば、不正アクセスに関するデータ、ウィルスやトロイの木馬等のプログラムや、それらが添付されたメール等である。
ＣＰＵ３１５の抽出部３１５１は、例えば、予めメモリ３１３に不要情報を除去するための不要情報除去情報Ｄ＿Ｄを記憶しておき、その不要情報除去情報Ｄ＿Ｄに基づいて、通信インターフェイス３１１で受信された時刻信号から、不要情報を取除いて時刻情報のみを抽出する。
【００３２】
ＣＰＵ３１５の抽出部３１５１は、例えば詳細には、上述のウィルス検出処理および駆除処理、並びに、メール内の検査、メールアーカイブ等の処理を行い、不要情報を取除いて、時刻情報のみを抽出する。
ＣＰＵ３１５の補正部３１５２は、抽出した時刻情報に基づいて計時部の時刻情報を補正する。
【００３３】
ＣＰＵ３１５の補正部３１５２は、例えば、時刻管理装置との通信状態が不良な場合には、基準時計３２で計時される時刻情報に基づいて、例えば計時部３１２で計時される時刻を補正する。通信状態が良好な場合には、所定のタイミング、例えば１日に数回、時刻情報を基準時計３２に出力し、基準時計３２で計時している時刻情報の補正を行う。
【００３４】
ＣＰＵ３１５は、所定のタイミング、例えば１日に数回、計時部３１２の時刻情報を含む時刻信号を、ネットワークカード３１４およびルータ３３を介して、第２の時刻提供装置４に送信する。
ＣＰＵ３１５は、第２の時刻提供装置４からの時刻情報の要求に応じて、計時部３１２により計時される時刻情報を含む時刻信号を、ネットワークカード３１４およびルータ３３を介して、第２の時刻提供装置４に提供する。
こうすることにより第１の時刻提供装置３で計時される時刻情報と、第２の時刻提供装置４で計時される時刻情報とを常に同期させている。
【００３５】
第２の時刻提供装置４の時刻補正用サーバ４１は、図２に示すように、ネットワークカード４１１、計時部４１２、無線ルータ４１３、メモリ４１４、およびＣＰＵ４１５とを有する。
ネットワークカード４１１、計時部４１２、無線ルータ４１３、メモリ４１４、およびＣＰＵ４１５は、バスＢＳにより接続されている。
【００３６】
ネットワークカード４１１は、ルータ３３、通信回線６３、およびルータ４２を介して第１の時刻提供装置３と所定のデータ通信を行う。
通信回線６３は、例えば、第１の時刻提供装置３と第２の時刻提供装置４とを接続する専用回線である。
【００３７】
計時部４１２は、時刻の計時を行う。計時部４１２により計時される時刻情報は、ＣＰＵ４１５の管理のもと、要求に応じて時刻情報を無線ルータ４１３を介して要求元の情報処理装置５−１〜ｎに、時刻情報を提供する。
【００３８】
無線ルータ４１３は、上述したように、ＣＰＵ４１５の制御のもと、計時部４１２により計時される時刻情報に基づいて、要求に応じて時刻情報を無線ルータ４１３を介して要求もとの情報処理装置５−１〜ｎに、時刻情報を提供する。
【００３９】
メモリ４１４は、ＣＰＵ４１５により管理され、所定のパラメータや、プログラム等を記憶する。また、メモリ４１４は、ＣＰＵ４１５の処理のワークスペースとしても用いられる。
例えば、メモリ４１４は、ＲＡＭやＲＯＭやＨＤＤ等の記憶装置である。
【００４０】
ＣＰＵ４１５は、例えば第１の時刻提供装置のＣＰＵ３１５と同様な機能を有する。
例えば、ＣＰＵ４１５は、メモリ４１４に記憶されたデータに基づいて時刻修正に係る処理を行う。
【００４１】
ＣＰＵ４１５は、詳細には例えば、抽出部４１５１、および補正部４１５２を有する。
ＣＰＵ４１５の抽出部４１５１は、ネットワークカード４１１から出力された時刻信号に基づいて、その時刻信号の内から時刻情報のみを抽出する。
例えば、第１の時刻提供装置３から時刻情報を含む時刻信号が通信回線６３およびルータ４２を介してネットワークカード４１１に出力される。
【００４２】
ＣＰＵ４１５の抽出部４１５１は、ネットワークカード４１１で受信された時刻信号から不要情報を取除いて時刻情報のみを抽出する。
【００４３】
ＣＰＵ４１５の抽出部４１５１は、例えば詳細には、予めメモリ４１４に不要情報を除去するための不要情報除去情報Ｄ＿Ｄを記憶しておき、その不要情報除去情報Ｄ＿Ｄに基づいて、ネットワークカード４１１で受信された時刻信号から、不要情報を取除いて時刻情報のみを抽出する。
【００４４】
ＣＰＵ４１５の抽出部４１５１は、例えば詳細には、上述のウィルス検出処理および駆除処理、並びに、メール内の検査、メールアーカイブ等の処理を行い、不要情報を取除いて時刻情報のみを抽出する。
【００４５】
ＣＰＵ４１５の補正部４１５２は、抽出した時刻情報に基づいて計時部４１２の時刻情報を補正する。
ＣＰＵ４１５は、所定のタイミング、例えば１日に数回、第１の時刻提供装置に時刻情報の要求をネットワークカード４１１を介して出力し、第１の時刻提供装置３から要求に応じて出力された時刻情報に基づいて、計時部４１２の時刻情報を補正する。
【００４６】
ＣＰＵ４１５は、例えば情報処理装置５−１〜ｎから時刻情報の要求を無線ルータ４１３を介して受信すると、要求元の情報処理装置５−１〜ｎに計時部４１２で計時してい時刻情報を、無線ルータ４１３を介して出力する。
ＣＰＵ４１５は、所定のタイミング、例えば１日に数回、計時部４１２で計時している時刻情報を、無線ルータ４１３を介して情報処理装置５−１〜ｎに出力する。
【００４７】
例えば、第２の時刻提供装置４は、データセンタＤＳに設けられた情報処理システム５０の情報処理装置５−１〜ｎに時刻情報を供給する。
情報処理装置５−１〜ｎは、例えば外部の端末装置７からの要求に応じて所望のデータ処理を行い、要求元の端末装置７に処理結果を送信する。
【００４８】
情報処理システム５０は、例えば図１に示すように、ストレージ５１、ファイバー・チャネル・スイッチ５２、負荷分散装置５３、情報処理装置５−１〜ｎ、スイッチ（Ｓｗｉｔｃｈ）５４、およびファイヤウォール５５を有する。
【００４９】
ストレージ５１は、例えば所定の情報を記憶する大容量の記憶装置である。ストレージ５１は、情報処理装置５−１〜ｎによりファイバー・チャネル・スイッチ５２を介して記憶している情報が読出され、また所定の情報が書込まれる。
【００５０】
ファイバー・チャネル・スイッチ５２は、要求に応じてストレージ５１と情報処理装置５−１〜ｎとの接続のスイッチングを行う。
ファイバー・チャネル・スイッチ５２は、例えば、情報処理装置５−１〜ｎと光ファイバーケーブルＣにより接続されている。
【００５１】
情報処理装置５−１〜ｎは、上述したように、第２の時刻提供装置４の時刻補正用サーバ４１から提供される時刻情報を受信して、内部の時刻情報を補正する。
例えば、情報処理装置５−１〜ｎは、通信ネットワーク６２を介してアクセスする端末装置７からの要求に応じて、所定の処理を行い要求元に所定の情報を提供する。
情報処理装置５−１〜ｎは、ファイバー・チャネル・スイッチ５２を介して、ストレージ５１にアクセスして所定の情報を書込みおよび読出す。
【００５２】
情報処理装置５−１〜ｎは、例えば無線ルータ５０１、計時部５０２、不図示のメモリ、およびＣＰＵを有する。
無線ルータ５０１、計時部５０２、メモリ、およびＣＰＵは不図示のバスＢＳにより接続されている。
【００５３】
ＣＰＵは、無線ルータ５０１を介して受信した時刻情報に基づいて、計時部５０２の時刻情報を補正する。
ＣＰＵは、所定のタイミング、例えば１日に数回、無線ルータを介して、第２の時刻提供装置４に時刻情報を要求し、第２の時刻提供装置４から要求に応じて出力された時刻情報に基づいて、計時部５０２の時刻情報を補正する。
【００５４】
負荷分散装置５３は、例えばトラフィックの負荷を分散するための装置であり、端末装置７からの時刻信号を情報処理装置５−１〜ｎそれぞれに振り分けて出力する。
負荷分散装置５３は、情報処理装置５−１〜ｎそれぞれから出力された時刻信号をスイッチ５４に出力する。
【００５５】
スイッチ（Ｓｗｉｃｔｈ）５４は、端末装置７から出力された時刻信号を負荷分散装置５３に出力する。また、スイッチ５４は負荷分散装置５３から出力された時刻信号をファイヤウォール（Ｆ／Ｗ）５５に出力する。このスイッチ５４は、例えば通信システムの冗長化構成として用いられる。
【００５６】
ファイヤウォール（Ｆ／Ｗ）５５は、例えばデータセンタＤＳの外部の端末装置７から通信ネットワーク６２を介して行われる不正侵入を防ぎ、正常なアクセスのみ許可する。
【００５７】
例えば、ファイヤウォール５５は、情報処理装置５−１〜ｎが所定の情報を提供するポートを監視し、それ以外のポートからアクセスする不正侵入を制限する。
また、ファイヤウォール５５は、所定のポートを監視し、データセンタＤＳ内部の情報処理装置５−１〜ｎから重要な情報が漏洩するのを防ぐ。
【００５８】
図３は、図１および２に示した時刻補正システムの動作の一具体例を示すフローチャートである。上述した構成の時刻補正システムの動作を、図３を参照しながら説明する。
【００５９】
ステップＳＴ１において、時刻管理装置において、所定のタイミング、例えば１日に数回、ＧＰＳ受信回路２１でＧＰＳ衛星から送信される時刻情報が受信される。時刻情報がＧＰＳ受信回路２１から親時計２２に出力され、親時計２２では時刻情報に基づいて計時時刻が補正される（ＳＴ２）。
【００６０】
ステップＳＴ３において、１次ＮＴＰサーバ２３では、所定のタイミングで、親時計２２で計時される時刻情報を、通信ネットワーク６１を介して、第１の時刻提供装置３に出力する。また、第１の時刻提供装置３から時刻情報の要求を受信した場合にも、親時計２２の時刻情報を含む時刻信号を通信ネットワーク６１を介して、例えばネットワークタイムプロトコルを用いて第１の時刻提供装置３に供給する。
【００６１】
ステップＳＴ４において、第１の時刻提供装置３において、２次ＮＴＰサーバ３１では、１次ＮＴＰサーバ２３から通信ネットワーク６１を介して出力された時刻信号が、通信インターフェイス３１１で受信される。
ステップＳＴ５において、ＣＰＵ３１５では、通信インターフェイス３１１から出力された時刻信号に基づいて、その時刻信号の内から時刻情報のみが抽出される。
例えば詳細には、ＣＰＵ３１５では、予めメモリ３１３に不要情報を除去するための不要情報除去情報Ｄ＿Ｄを記憶しておき、その不要情報除去情報Ｄ＿Ｄに基づいて、通信インターフェイス３１１で受信された時刻信号から、不要情報を取除いて時刻情報のみが抽出される。
【００６２】
ステップＳＴ６において、ＣＰＵ３１５では、時刻情報に基づいて、計時部３１２の計時時刻が補正される。
【００６３】
ステップＳＴ７において、ＣＰＵ３１５では、所定のタイミングで、ネットワークカード３１４、ルータ３３、および通信回線６３を介して、時刻情報を含む時刻信号が第２の時刻提供装置４に送信される。
【００６４】
ステップＳＴ８において、第２の時刻提供装置４において、ＣＰＵ４１５では、通信回線６３、ルータ４２、およびネットワークカード４１１を介して受信された時刻信号に基づいて、その時刻信号の内から時刻情報のみが抽出される（ＳＴ９）。
例えば詳細には、ＣＰＵ４１５では、予めメモリ４１４に不要情報を除去するための不要情報除去情報Ｄ＿Ｄを記憶しておき、その不要情報除去情報Ｄ＿Ｄに基づいて、ネットワークカード４１１で受信された時刻信号から、不要情報を取除いて時刻情報のみが抽出される。
【００６５】
ステップＳＴ１０において、ＣＰＵ４１５では、その時刻情報に基づいて、計時部４１２の計時時刻を補正する。
【００６６】
ステップＳＴ１１において、ＣＰＵ４１５では、所定のタイミングで、計時部４１２で計時される時刻情報が無線ルータ４１３を介して情報処理装置５−１〜ｎに供給（送信）される。
ステップＳＴ１２において、情報処理装置５−１〜ｎでは、第２の時刻提供装置４から無線ルータ４１３を介して出力された時刻情報が無線ルータ５０１で受信され、その時刻情報に基づいて計時部５０２で計時される時刻情報が補正される（ＳＴ１３）。
【００６７】
以上、説明したように、時刻管理装置２には、時刻情報を含む時刻信号を送信する時刻情報送信部２３１を設け、第１の時刻提供装置３には、時刻を計時する計時部３１２と、時刻情報送信部２３１から出力された時刻信号に基づいて当該時刻信号の内から時刻情報のみを抽出する抽出部３１５１と、抽出部３１５１により抽出された時刻情報に基づいて、計時部３１２の時刻情報を補正する補正部３１５２と、時刻情報を含む時刻信号をルータ３３を介して第２の時刻提供装置に出力するネットワークカード３１４とを設け、第２の時刻提供装置４には、第１の時刻提供装置３から出力された時刻情報を含む時刻信号をルータ４２を介して受信するネットワークカード４１１と、ネットワークカード４１１で受信された時刻信号から時刻情報を抽出する抽出部４１５１と、抽出された時刻情報に基づいて計時部４１２の時刻情報を補正する補正部４１５２と、時刻情報を情報処理装置５−１〜ｎに送信する無線ルータ４１３とを設けたので、情報処理装置５−１〜ｎにおいて、第２の時刻提供装置４から出力された時刻情報が無線ルータ５０１で受信され、その時刻情報に基づいて計時部５０２の時刻情報が補正される。
このため、不正アクセス等の被害を防止可能な時刻補正システム、および時刻補正方法を提供することができる。
【００６８】
また、データセンタＤＳ内の情報処理装置５−１〜ｎにおいて、時刻の補正を手動で行うことなく、自動で時刻情報を修正することができる。
【００６９】
データセンタＤＳの外部の隣接する施設ＳＳ内第１の時刻提供装置３を設け、データセンタＤＳ内に第２の時刻提供装置４を設けているので、データセンタＤＳ内の情報処理装置５−１〜ｎには、時刻情報の伝送経路に関しては、外部からの不要情報が侵入する事がなくなり、高いセキュリティ性を有する。
【００７０】
第１の時刻提供装置３では、通信状態が悪い際に参照される基準時計３２を設けたので、そのような悪条件の場合にも安定して高精度な時刻情報を、第２の時刻提供装置４を介して情報処理装置５−１〜ｎに提供することができる。
【００７１】
なお、本発明は本実施の形態に限られるものではなく、任意好適な種々の改変が可能である。
例えば、上述の実施の形態では、第１の時刻提供装置３と、第２の時刻提供装置４とを設けたが、同一の装置内に第１の時刻提供装置３と第２の時刻提供装置４の構成要素を設けてもよい。
【００７２】
本実施の形態では、標準時刻提供装置としてＧＰＳ衛星２０１を利用し、ＧＰＳ衛星２０１から送信される時刻情報に基づいて時刻補正処理を行ったが、この形態に限られるものではない。
例えば、標準時刻信号を含む標準電波を送信する送信局を標準時刻提供装置とし、その標準電波を受信して標準時刻信号に基づいて時刻補正処理を行う回路を設けることで、ＧＰＳ衛星２０１からの信号を受信できない場合でも標準電波を受信して時刻補正処理を行うことができる。
【００７３】
【発明の効果】
本発明によれば、不正アクセス等の被害を防止可能な時刻補正システム、および時刻補正方法を提供することができる。
【図面の簡単な説明】
【図１】本発明の時刻補正システムに係る一実施の形態の全体図である。
【図２】図１に示した時刻修正システムの一具体例を示す機能ブロック図である。
【図３】図１および２に示した時刻補正システムの動作の一具体例を示すフローチャートである。
【符号の説明】
１…時刻補正システム、２…時刻管理装置、３…第１の時刻提供装置、４…第２の時刻提供装置、５…情報処理装置、７…端末装置、２１…受信回路、２２…親時計、２３…１次ＮＴＰサーバ、３１…２次ＮＴＰサーバ、３２…基準時計、３３…ルータ、４１…時刻補正用サーバ、４２…ルータ、５０…情報処理システム、５１…ストレージ、５２…ファイバー・チャネル・スイッチ、５３…負荷分散装置、５４…スイッチ、５５…ファイヤウォール、６１…通信ネットワーク、６２…通信ネットワーク、６３…通信回線、２０１…ＧＰＳ衛星、２２１…時刻補正部、２３１…時刻情報送信部、３１…２次ＮＴＰサーバ、３１１…通信インターフェイス（Ｉｎｔｅｒｆａｃｅ　：Ｉ／Ｆ）、３１２…計時部、３１３…メモリ、３１４…ネットワークカード、３１５…ＣＰＵ、４１１…ネットワークカード、４１２…計時部、４１３…無線ルータ、４１４…メモリ、４１５…ＣＰＵ、３１５１…抽出部、３１５２…補正部、４１５１…抽出部、４１５２…補正部。
【図１】
2004125489.tif 000003
【図２】
2004125489.tif 000004
【図３】
2004125489.tif 000005